(57)【要約】【課題】抗菌性物質を安定的に放出させる機能を確保しつつ、製造工程を簡素化して生産性の向上並びに低コスト化を図ることができる抗菌剤収容体を提供することを課題とする。【解決手段】抗菌剤収容体１は、抗菌性物質を放出する粒子状の抗菌剤４と、該抗菌剤４を収容する収容体２と、抗菌性物質を大気中に放出するための放出孔３とを備えている。そして、収容体２は、抗菌性物質の非透過性の外層５と、抗菌性物質の透過性の内層６とを有し、外層５に放出孔３が設けられ、その放出子３が内層６で覆われている。放出孔３は、収容体２の表面側から剥離可能なシール７で塞がれている。【選択図】図１
2014217735.tif 000002
【特許請求の範囲】
【請求項１】
抗菌性物質を放出する粒子状の抗菌剤と、該抗菌剤を収容する収容体と、前記抗菌性物質を大気中に放出するための放出孔とを備えた抗菌剤収容体であって、
前記収容体は、抗菌性物質の非透過性の外層と、抗菌性物質の透過性の内層とを有し、
前記外層に前記放出孔が設けられ、その放出孔が前記内層で覆われていることを特徴とする、抗菌剤収容体。
【請求項２】
前記収容体は、前記外層と内層とを有するラミネートシートにより形成されていることを特徴とする、請求項１に記載の抗菌剤収容体。
【請求項３】
前記内層が不織布により形成され、前記外層が抗菌性物質の遮蔽用金属層を含むことを特徴とする、請求項１又は２に記載の抗菌剤収容体。
【請求項４】
前記内層が不織布により形成され、前記外層が前記内層との間に位置する樹脂層を含むことを特徴とする、請求項１〜３の何れかに記載の抗菌剤収容体。
【請求項５】
前記外層が、外層の表面を覆う樹脂層を含むことを特徴とする、請求項１〜４の何れかに記載の抗菌剤収容体。
【請求項６】
前記放出孔は、剥離可能なシールによって塞がれていることを特徴とする、請求項１〜５の何れかに記載の抗菌剤収容体。
【請求項７】
前記外層には、前記放出孔の輪郭に沿って形成された破断用切込みが設けられ、前記シールの剥離時に前記放出孔が開口されるように、前記破断用切込みの破断強度が設定されていることを特徴とする、請求項６に記載の抗菌剤収容体。
【請求項８】
前記収容体には、該収容体の吊り下げに用いる穴が収容体の上部と下部の少なくとも一方に設けられていることを特徴とする請求項１〜７の何れかに記載の抗菌剤収容体。
【請求項９】
前記収容体は、前記内層及び外層を有するラミネートシートを重ね合わせ、その周囲を圧着して製造したものであることを特徴とする請求項１〜８の何れかに記載の抗菌剤収容体。
【請求項１０】
前記収容体は、略扁平状に形成されて一対の面を有し、
前記一対の面の少なくとも一方の面に、前記抗菌剤を大気中に放出するための放出孔が設けられ、
前記内層が、前記収容体の外層の内面の一部に設けられていることを特徴とする請求項１〜８の何れかに記載の抗菌剤収容体。
【請求項１１】
前記抗菌剤は、前記抗菌性物質の前駆物質を含み、該前駆物質は他の成分と反応することにより抗菌性物質を発生することを特徴とする、請求項１〜１０の何れかに記載の抗菌剤収容体。
【請求項１２】
前記抗菌剤は、前記抗菌性物質を固形担体に担持したものであることを特徴とする、請求項１〜１１の何れかに記載の抗菌剤収容体。
【請求項１３】
さらに、前記収容体を収容する外側収容体を有し、
前記収容体は、前記外側収容体によって気密に保持されていることを特徴とする請求項１〜１２の何れかに記載の抗菌剤収容体。
【請求項１４】
前記外側収容体の内部が真空であることを特徴とする請求項１３に記載の抗菌剤収容体。
【請求項１５】
前記外側収容体は、その内部に不活性ガスを含むことを特徴とする、請求項１２又は１３に記載の抗菌剤収容体。
【請求項１６】
前記不活性ガスは、窒素であることを特徴とする、請求項１５に記載の抗菌剤収容体。
【請求項１７】
前記外側収容体は、その内部を脱気した後に前記不活性ガスが充填されることを特徴とする、請求項１５又は１６に記載の抗菌剤収容体。
【発明の詳細な説明】
【技術分野】
【０００１】
本発明は、抗菌性物質を放出する粒子状の抗菌剤を収容して構成された抗菌剤収容体に関する。
【背景技術】
【０００２】
近年、二酸化塩素は塩素に代わる殺菌消毒剤として注目されている。従来、二酸化塩素を発生させる方法としては、亜塩素酸ナトリウム水溶液（安定化二酸化塩素水溶液）と酸（活性化剤）を混合反応させるのが主流であった（特許文献１）。しかしながら、このような方法は、反混合の手間がかかることや副反応を生ずるおそれがあることにより、一般の使用者が手軽に使用できるものではなかった。
【０００３】
このような問題を解決する技術として、多孔性無機質担体に二酸化塩素ガスを吸着保持せしめてなる殺菌消毒剤が開発されている（特許文献２）。この殺菌消毒剤は、容器に収容して保管され、使用時には、容器の上蓋を開放し、その開口部から二酸化塩素ガスを徐々に空気中に拡散させることが記載されている。
【０００４】
一方、抗菌性物質等の薬剤を収納するケースや袋といった収容体としては次のようなものが知られている。例えば、気体不透過性シートからなる袋状の収容体内に徐散性薬剤を収容し、当該収容体に開口部を形成するとともに、該開口部を薬剤放出膜によって覆った徐散性薬剤収容体が知られている（特許文献３）。また、撥水性の不織布に脱臭剤を封入し、これを冷蔵庫内に設置した樹脂製のカセットに収容することが知られている（特許文献４）。
【先行技術文献】
【特許文献】
【０００５】
【特許文献１】特開昭６０−１６１３０７号公報
【特許文献２】特開平６−２３３９８５号公報
【特許文献３】特開平１０−１６７３２３号公報
【特許文献４】特開２００３−１４８８６１号公報
【発明の概要】
【発明が解決しようとする課題】
【０００６】
ところで、特許文献２に記載された殺菌消毒剤を携帯に適した抗菌剤収容体として応用しようとする場合、製品に強い振動や衝撃を与えた場合でも、二酸化塩素を担持した担体が漏れ出したり、高濃度の二酸化塩素が一度に発生したりすることなく、二酸化塩素を安定的に継続して放出させることが、安全性の観点、効果の持続性の観点から求められる。
【０００７】
一方、生産性やコストの観点からは、製造工程が少なくて生産性が良く、低コストで提供できることが望まれる。
【０００８】
このような観点から、本出願人は、特願２０１１−１９５７１６号において、振動や衝撃の下でも、安定した量の二酸化塩素等の抗菌性物質を、収容体に設けた放出孔から継続的に放出させることが可能であり、しかも、抗菌剤を収容した袋体を、アルミ蒸着膜を有する扁平な袋体内に収容することで、生産性の向上並びに低コスト化を可能にした抗菌剤収容体を提案した。
【０００９】
しかしながら、この抗菌剤収容体においては、抗菌剤を内袋に詰めた後、内袋の口部を圧着して封印し、これをアルミニウム蒸着シートで制作した外袋に収容し、その外袋の口部を圧着して封印するといった作業を行う必要がある。そのため、生産性や低コスト化の点で、さらに改善すべき課題があった。
【００１０】
本発明は、以上の点に配慮してなされたもので、抗菌性物質を安定的に放出させる機能を確保しつつ、製造工程を簡素化して生産性の向上並びに低コスト化を図ることができる抗菌剤収容体を提供することを課題とする。
【課題を解決するための手段】
【００１１】
前述した課題を解決するために、本発明の抗菌剤収容体は、抗菌性物質を放出する粒子状の抗菌剤と、該抗菌剤を収容する収容体と、前記抗菌性物質を大気中に放出するための放出孔とを備えた抗菌剤収容体であって、前記収容体は、抗菌性物質の非透過性の外層と、抗菌性物質の透過性の内層とを有し、前記外層に前記放出孔が設けられ、その放出孔が前記内層で覆われていることを特徴とする。
【００１２】
本発明によれば、収容体は、抗菌性物質の非透過性の外層と、抗菌性物質の透過性の内層とを有しているので、抗菌剤を収容体に入れて口部を閉じるだけで、抗菌剤収容体を製造することができる。したがって、内袋が不要になるので、内袋の製造工程と、この内袋に抗菌剤を収容する工程を無くすことができる。これにより、製造工程を簡素化して生産性の向上並びに低コスト化を図ることができる。
【００１３】
また、外層に放出孔を設けてあるので、内層はこの放出孔を内側から閉じる大きさであればよい。この結果、内層の面積を小さく設定したり、収容体の外層の相対する内面の一方にだけ内層を設けたりすることも可能になる。これにより内層の使用量を少なくして低コスト化を図ることができる。
本発明に用いる前記抗菌剤としては、抗菌性物質の前駆物質を含み、使用時に他の成分と反応することにより抗菌性物質を発生するものや、抗菌性物質を固形担体に担持したものなどを使用することができる。
【００１４】
本発明の好ましい形態として、前記収容体は、前記外層と内層とを有するラミネートシートにより形成されていることを特徴とする。
【００１５】
このように、収容体を、外層と内層とを有するラミネートシートにより形成することで、収容体の製造を極めて簡素化することができ、これにより、抗菌剤収容体の製造をさらに簡素化して生産性の向上並びに低コスト化を図ることができる。
【００１６】
本発明の好ましい形態では、前記内層が不織布により形成され、前記外層が抗菌性物質の遮蔽用金属層を含むことを特徴とする。
この不織布は、その内部に極めて小さな連続気孔を多数有しているため、粒子状抗菌剤の飛散防止膜として要求される通気性と固体非透過性の機能を容易に確保することができる。
即ち、不織布は微細孔が無数に形成されているので、二酸化塩素等の抗菌性物質は透過するが、粒子状の抗菌剤自体が通過するのを防ぐことができる。また、外層は遮蔽用金属層を含むので、この外層を例えばアルミニウム蒸着シート等で形成することができる。
【００１７】
本発明の好ましい形態では、前記内層が不織布により形成され、前記外層が前記内層との間に位置する樹脂層を含むことを特徴とする。
このように、外層として、内層との間に位置する樹脂層を含む構成とすることで、その樹脂層によって、外層の遮蔽用金属層を保護する層構造とすることができる。
【００１８】
この層構造は、抗菌性物質が二酸化塩素で、遮蔽用金属層がアルミニウムの場合に特に好ましい層構造となる。アルミニウムに二酸化塩素が長期間接触して腐食が進行するのを防ぐことができるからである。
【００１９】
本発明の好ましい形態では、前記外層が、外層の表面を覆う樹脂層を含むことを特徴とする。
このように外層の表面に樹脂層を設けることで、この樹脂層を外層全体の保護層とすることができる。
【００２０】
本発明の好ましい形態では、前記放出孔が、剥離可能なシールによって塞がれていることを特徴とする。
このように、放出孔を剥離可能なシールで塞ぐことによって、抗菌剤収容体を長期間保護することができる上に、放出孔を容易に開口して使用することができる。
【００２１】
本発明の好ましい形態として、前記外層には、前記放出孔の輪郭に沿って形成された破断用切込みが設けられ、前記シールの剥離時に放出孔が開口されるように、前記破断用切込みの破断強度が設定されていることを特徴とする。
【００２２】
外層が複数の層からなるラミネートシートの場合、長期保管時において、放出孔の口縁部分の切断面から複数の層間に抗菌性物質が侵入する場合があり、その場合には外層に腐食やしわが生じやすくなるが、シールの剥離時に放出孔を開口させるようにしてあるので、層間に抗菌性物質が侵入するのを長期間抑制する効果が得られる。
【００２３】
本発明の好ましい形態として、前記収容体には、該収容体の吊り下げに用いる穴が収容体の上部と下部の少なくとも一方に設けられていることを特徴とする。
【００２４】
この構成により、抗菌剤収容体の穴に紐やストラップを通したり、クリップつきのストラップを装着する等により、首から吊り下げたり、かばんに吊り下げたりして携帯することができる。また、収容体の上部と下部の両方に穴を設けた場合、収容体の上下を逆にし
て吊り下げることも可能になる。
【００２５】
本発明の好ましい形態として、前記収容体は、前記内層及び外層を有するラミネートシートを重ね合わせ、その周囲を圧着して製造したものであることを特徴とする。
【００２６】
このような構成とすることにより、扁平な形状の抗菌剤収容体を製造することが容易になり、首から吊り下げたり、ポケットに入れたりして携帯するのに適した形態となる。
また、周囲の圧着部分が強固となり、携帯時の振動や衝撃のもとでも形状の変形を起こしにくいので、袋の破損などによる収容した抗菌剤のこぼれ出しなどのリスクを小さく抑えることができる。
【００２７】
本発明の好ましい形態として、前記収容体は、略扁平状に形成されて一対の面を有し、前記一対の面の少なくとも一方の面に、前記抗菌剤を大気中に放出するための放出孔が設けられ、前記内層が、前記収容体の外層の内面の一部に設けられていることを特徴とする。
【００２８】
このように、内層を、前記収容体の外層の内面の一部に設けることで、内層の使用量を低減することができる。例えば内層の使用量が片面だけの場合には半分以下にすることができる。内層で放出孔を塞ぐだけとした場合には、内層の使用量をさらに低減することができる。
【００２９】
この不織布は、その内部に極めて小さな連続気孔を多数有しているため、前記飛散防止膜に要求されている、通気性と固体非透過性の機能を容易に確保することができる。
【００３０】
本発明の好ましい形態では、前記抗菌剤収容体は、さらに、前記収容体を収容する外側収容体を有し、前記収容体は、前記外側収容体によって気密に保持されている。
【００３１】
このような形態とすることにより、抗菌剤に大気中の空気が接触することにより、使用前に二酸化塩素が発生することを抑制することができ、保管期間の長期化を図ることができる。
【００３２】
本発明の好ましい形態では、前記外側収容体の内部は真空である。
【００３３】
本発明の好ましい形態では、前記外側収容体は、その内部に不活性ガスを含む。これにより、外側収容体の内部が減圧となることによる、収容体の変形やしわなどを防ぐことができる。前記不活性ガスは、好ましくは窒素である。
また、前記外側収容体は、その内部を脱気した後に前記不活性ガスが充填されることが好ましい。
【発明の効果】
【００３４】
本発明によれば、抗菌性物質を安定的に放出させる機能を確保しつつ、製造工程を簡素化して生産性の向上並びに低コスト化を図れる抗菌剤収容体を提供することができる。
また、本発明によれば、使用時に、粒子状の抗菌剤の移動や衝突が阻害されないため、抗菌性物質の放出が効率的になる。
【図面の簡単な説明】
【００３５】
【図１】本発明の実施形態１に係る抗菌剤収容体を示す正面図である。
【図２】本発明の実施形態１に係る抗菌剤収容体の作用を説明するための正面図である。
【図３】本発明の実施形態１に係る抗菌剤収容体の作用を説明するための図である。
【図４】本発明の実施形態１に係る抗菌剤収容体の概略縦断面図である。
【図５】本発明の実施形態１に係る抗菌剤収容体の部分断面図である。
【図６】本発明の実施形態２に係る抗菌剤収容体の部分断面図である。
【図７】本発明の実施形態３に係る抗菌剤収容体の部分断面図である。
【図８】本発明の実施形態４に係る抗菌剤収容体の部分断面図である。
【図９】本発明の実施形態５に係る抗菌剤収容体の部分断面図である。
【図１０】本発明の実施形態５に係る抗菌剤収容体の作用を説明するための図である。
【図１１】本発明の実施形態６に係る抗菌剤収容体の正面から見た説明図である。
【図１２】本発明の実施形態７に係る抗菌剤収容体の正面から見た説明図である。
【発明を実施するための形態】
【００３６】
以下、本発明の抗菌剤収容体の実施形態について、図１ないし図１０を参照して説明する。
＜実施形態１＞
図１〜図５は本発明に係る抗菌剤収容体の実施形態１を示すものである。
【００３７】
実施形態１に係る抗菌剤収容体１は、抗菌性物質を放出する粒子状の抗菌剤４と、該抗菌剤４を収容する収容体２と、抗菌性物質を大気中に放出するための放出孔３とを備えている。
そして、収容体２は、抗菌性物質の非透過性の外層５と、抗菌性物質の透過性の内層６とを有し、外層５に放出孔３が設けられ、その放出子３が内層６で覆われている。放出孔３は、収容体２の表面側から剥離可能なシール７で塞がれている。
【００３８】
次いで、これらの詳細について説明する。
これらの図に示す収容体２は、図４に示すように、外層５と内層６とを有するラミネートシートにより形成されている。内層６は不織布で形成され、外層５はアルミニウム蒸着フィルムで形成されている。
【００３９】
これにより、外層５は、図５に示すように、抗菌性物質の遮蔽用金属層５１と、前記内層６との間に位置する樹脂層（保護層）５２と、外層５の表面を覆う樹脂層５３とを有している。保護層としての樹脂層５２はポリエチレンテレフタレート（ＰＥＴ）で形成され、外層の表面を覆う樹脂層５３はポリエチレン（ＰＥ）で形成されている。
【００４０】
収容体２には、固形の粒子状の抗菌剤が、収容体２の容積の６０％程度の充填率で収納されている。収容体２は、抗菌剤４を収納しない状態では、四角形のシート状（縦５５ｍｍ×横８５ｍｍ（内部空間形成領域））であり、アルミニウム蒸着フィルムの片面に不織布を積層したラミネートシートを、不織布どうしが重なるように２枚重ねて周囲を圧着して製造したものである。
【００４１】
なお、前記収容体２は、アルミニウムシートと樹脂フィルムと不織布とを貼り合わせたラミネートシートを所定形状に切り出した後、これらのシートの周縁部を熱融着により一体化して袋状に形成することもできる。
【００４２】
不織布で形成された内層６には、その全体に後述するセピオライト微粒子の径より小さい径の微細孔（図示しない）が形成されている。該微細孔は、セピオライト微粒子を透過しないが二酸化塩素分子は透過する。
【００４３】
したがって、不織布からなる内層６が、前記収容体２に形成されている放出孔３を、収容体２の内面から覆う飛散防止膜としての機能も備えている。
【００４４】
また、収容体２の長辺側の圧着部３１は、中央が幅広になっていて、その中央にストラップ（図示しない）を取り付けるための長穴８が形成されている。収容体２は抗菌性物質を実質的に透過しない材料で形成されていればよい。また、抗菌性物質の安定性を維持する観点から遮光性の材料であることが好ましい。
【００４５】
前記収容体２には、収容体２の内面と抗菌剤４との間に、適度な隙間を形成することで、抗菌性物質の大気への徐放性を担保することができる。特に、収容体２として扁平なものを用いることで、粒子状の抗菌剤４と収容体２の内面との間に、適度な隙間を形成することができる。
これにより、抗菌剤４の収容体２内での移動を拘束せず、効率的に二酸化塩素を発生させることが可能となる。
【００４６】
前記収容体２として扁平なものを用い、抗菌剤収容体１全体を扁平な形状とすることにより、首から吊り下げたり、ポケットに入れたりすることができ、携帯に便利となる。抗菌剤収容体１の最大厚み（最も厚い部分の厚み、本実施形態では中央付近）は、好ましくは３ｍｍ〜１０ｍｍ程度、さらに好ましくは３ｍｍ〜８ｍｍ程度である。
【００４７】
また、収容体２は、その形状が扁平であることに加え、周囲の圧着部分が強固であるため、携帯時に衝撃が加わっても、収容体２が大きく変形することがない。そのため、衝撃等に起因する収容体２の変形によって、抗菌剤が漏れ出したり、多量の二酸化塩素分子が一度に放出されたりするリスクが小さい。
【００４８】
収容体２は、略扁平状に形成されて一対の面を有し、その一対の面のうち一方の面に、二酸化塩素を大気中に放出するための放出孔３が多数設けられている。これらの放出孔３は、収容体３を吊り下げた状態において、上下方向に間隔をおいて複数段配置され、各段の放出孔３ごとに、剥離可能なシール７によってふさがれている。
【００４９】
本実施形態においては、直径約４ｍｍ前後の放出孔３が上下に２段配置されるとともに、各段ごとに１０個の放出孔３が設けられている。そして、それら各段の複数の放出孔３ごとに剥離可能なシール７で塞がれている。したがって、シール７も２段に設けられている。各シール７はこれを順次剥離することができるように、相互に間隔をおいて設けられている。
本実施形態のように、放出孔を収容体２の上部側と下部側にそれぞれ設けることにより、抗菌剤４への空気の接触が均一化され、効率的に二酸化塩素を発生させることが可能となる。
【００５０】
前記抗菌剤４は、セピオライトからなる多孔性の微粒子（平均粒径０．１ｍｍ）に二酸化塩素を物理的に吸着、担持させたものである。セピオライト等の無機質固形担体に二酸化塩素を吸着させる方法は公知である（特許文献２参照）。例えば、亜塩酸ナトリウム水溶液に無機酸を添加し、発生した混合体を亜塩素酸ナトリウム水溶液で洗浄することにより、混合体中の塩素を二酸化塩素に転化して二酸化塩素を生成し、これを無機質固形担体に吸着させる。
なお、固形担体は、表面に二酸化塩素等の抗菌性物質を担持できればよく、多孔性のもののみならず、表面に凹凸があるものを使用してもよい。また、固形担体としてゼオライトを使用することも好ましい。また固形担体は、無機材料で形成されたもののみならず、セルロース等の有機材料で形成されたものであってもよい。
【００５１】
また、本発明における二酸化塩素は、安定化二酸化塩素（亜塩素酸塩）を含む概念であり、この場合はクエン酸、酢酸、蟻酸等の有機酸を合わせて担持させることにより二酸化塩素を発生させることができる。この場合、空気中の水分と接触することにより二酸化塩素を発生させることができる。発生した二酸化塩素の少なくとも一部は固形担体に一旦保持された後遊離されることになる。遊離量は、外部の二酸化塩素濃度に応じて変化する。
前記抗菌剤における二酸化塩素は、周囲の空気の振動などの物理的な力や微粒子同士の衝突により、セピオライトから解離する。
なお、抗菌剤４が十分に移動可能なように適度な隙間を設けて収容することが好ましい。これにより、抗菌剤４の粒子に空気が接触し、上記二酸化塩素の固形担体からの解離が効率的になるためである。
【００５２】
また、本発明における抗菌剤として、上記固形担体に亜塩素酸塩を担持させたものであってもよい。この場合、有機酸等の酸性物質を担持しない形態であることも好ましい。この場合、固形担体は水に懸濁させたときにアルカリ性を示すものであることが好ましい。
このような抗菌剤は、多孔質担体に亜塩素酸ナトリウム等の亜塩素酸塩及び水酸化ナトリウム等のアルカリ剤を含む水溶液を固形担体に含浸し、乾燥することにより製造することができる。
このような抗菌剤は、空気と接触させることにより二酸化塩素を発生する。より詳細にいえば、空気中の二酸化炭素及び水蒸気と接触させることにより二酸化塩素を発生する。
【００５３】
ここで、セピオライト等の無機質固形担体の平均粒径（メジアン径）は、０．０１〜１ｍｍの範囲にあることが好ましい。なお、本発明において平均粒径は、レーザー回折・散乱法の原理を用いた装置で測定することができる。
平均粒径を一定の範囲とすることにより、抗菌剤の流動性を制御することができ、収容体２からの抗菌性物質の放出を安定的に継続させることができる。
【００５４】
さらに、当該効果をより大きいものとする観点から、前記収容体２における該無機質固形担体の充填率を３０〜８０％程度、好ましくは４０〜７０％程度とすることが好ましい。
本発明における充填率は、抗菌剤を非圧縮下で充填したときの見かけ上の体積を、収容体２の容量で除することで求めることができる。流動性が高いほど、また、充填率が低いほど、抗菌性物質の放出が進みやすくなる。
【００５５】
そして、前記飛散防止膜として機能する内層６が、抗菌剤４の通過を防止していることにより、この抗菌剤４が放出孔３から飛散してしまうことはない。
【００５６】
本実施形態によれば、収容体２は、抗菌性物質の非透過性の外層５と、抗菌性物質の透過性の内層６とを有しているので、抗菌剤４を収容体２に入れて口部を閉じるだけで、抗菌剤収容体を製造することができる。したがって、これまで必要であった内袋が不要になるので、内袋の製造工程と、この内袋に抗菌剤を収容する工程を無くすことができる。これにより、製造工程を簡素化して生産性の向上並びに低コスト化を図ることができる。
【００５７】
また、外層５に放出孔３を設けてあるので、内層６はこの放出孔３を内側から閉じる大きさであればよい。この結果、内層６の面積を小さく設定したり、収容体２の外層５の相対する内面の一方にだけ内層６を設けたりすることも可能になる。これにより、不織布からなる内層６の使用量を少なくして低コスト化を図ることができる。
【００５８】
また、収容体２を、外層５と内層６とを有するラミネートシートにより形成することで、収容体２の製造を極めて簡素化することができ、これにより、抗菌剤収容体１の製造をさらに簡素化して生産性の向上並びに低コスト化を図ることができる。
【００５９】
また、不織布は、その内部に極めて小さな連続気孔を多数有しているため、粒子状抗菌剤４の飛散防止膜として要求される通気性と固体非透過性の機能を容易に確保することができる。即ち、不織布は微細孔が無数に形成されているので、二酸化塩素等の抗菌性物質は透過するが、粒子状の抗菌剤自体が通過するのを防ぐことができる。また、外層５は遮蔽用金属層５１を含むので、この外層５を例えばアルミニウム蒸着シート等で形成することができる。
【００６０】
また、外層５として、内層６との間に位置する樹脂層５２を含む構成とすることで、その樹脂層５２によって、外層５の遮蔽用金属層５１を保護する層構造とすることができる。この層構造は、抗菌性物質が二酸化塩素で、遮蔽用金属層５１がアルミニウムの場合に特に好ましい層構造となる。これは、アルミニウムに二酸化塩素が長期間接触して腐食が進行するのを防ぐことができるからである。
【００６１】
また、このように外層５の表面に樹脂層５３を設けることで、この樹脂層５３を外層５全体の外側の保護層とすることができる。
【００６２】
また、放出孔３を剥離可能なシール７で塞ぐことによって、抗菌剤収容体１を長期間保護することができる上に、放出孔３を容易に開口して使用することができる。
【００６３】
また、抗菌剤収容体１の穴８に紐やストラップを通したり、クリップつきのストラップを装着する等により、首から吊り下げたり、かばんに吊り下げたりして携帯することができる。また、収容体の上部と下部の両方に穴を設けた場合、収容体の上下を逆にして吊り下げることも可能になる。
【００６４】
また、収容体２は、内層６及び外層５を有するラミネートシートを重ね合わせ、その周囲を圧着して製造することにより、扁平な形状の抗菌剤収容体を製造することが容易になり、首から吊り下げたり、ポケットに入れたりして携帯するのに適した形態となる。
また、周囲の圧着部分が強固となり、携帯時の振動や衝撃のもとでも形状の変形を起こしにくいので、袋の破損などによる収容した抗菌剤のこぼれ出しなどのリスクを小さく抑えることができる。
【００６５】
また、内層６を、前記収容体２の外層５の内面の一部に設けることで、内層６の使用量を低減することができる。例えば内層６の使用量が片面だけの場合には半分以下にすることができる。内層６で放出孔３を塞ぐだけとした場合には、内層６の使用量をさらに低減することができる。
【００６６】
なお、本実施形態では、抗菌性物質として二酸化塩素を用いる場合について説明したが、他にも抗菌性金属等を用いることも可能である。
また、本実施形態では、固形担体として無機材料を用いる場合について説明したが、例えば、セルロース等を用いた有機材料を用いることもできる。
【００６７】
本実施形態の抗菌剤収容体１は、使用時に、シール７を剥離して放出孔３を開口させることによって使用状態となされ、また、長穴８にストラップを取り付けて人が首から吊り下げることもできるし、部屋、車内、冷蔵庫等のあらゆるスペースに置くこともできる。
【００６８】
ここで、特に、首に吊り下げて携帯する場合、使用期間の経過に伴って、上段の放出孔３からの二酸化塩素の放出量が次第に減少することになる。この減少量は、抗菌剤の種類や抗菌性物質を担持する担体の機能等によっても左右されるが、例えば、有効量の二酸化塩素を放出できなくなる使用期間に応じて、次の段のシール７を剥離することで、二酸化塩素の有効な放出量を確保することができる。このようにして、シール７を順次剥離して使用する。
【００６９】
さらに、このように、各段の放出孔３ごとに、剥離可能なシール７によってふさいでいるので、例えば使用の途中において、収容体２の上下を反転させて吊り下げ、その際に上部に位置する放出孔３をふさいでいるシール７を剥離して使用することも可能になる。
＜実施形態２＞
【００７０】
図６は本発明に係る抗菌剤収容体の実施形態２を示すものである。
この図において、実施形態１と同一の構成要素については同一の符号を付してその説明を簡略化する。
【００７１】
この実施形態２に係る抗菌剤収容体１では、その収容体２の放出孔３の内周面を外層５を覆う樹脂層５３と同じ樹脂層５３ａで被覆した構成としたものである。このように放出孔３の内周面を樹脂層５３ａで被覆することで、金属層５１と樹脂層５２、５３との間に抗菌性物質が侵入するのを防止することができる。
＜実施形態３＞
【００７２】
図７は本発明に係る抗菌剤収容体の実施形態３を示すものである。
この図において、実施形態１と同一の構成要素については同一の符号を付してその説明を簡略化する。
【００７３】
この実施形態３に係る抗菌剤収容体１では、その収容体２の放出孔３の内周面を金属層５１の保護層である樹脂層５２と同じ樹脂層５２ａで被覆した構成としたものである。このように放出孔３の内周面を樹脂層５２ａで被覆することで、金属層５１と樹脂層５２、５３との間に抗菌性物質が侵入するのを防止することができる。
＜実施形態４＞
【００７４】
図８は本発明に係る抗菌剤収容体の実施形態４を示すものである。
同図において、実施形態１と同一の構成要素については同一の符号を付してその説明を簡略化する。
【００７５】
この実施形態４に係る抗菌剤収容体１では、金属層５１の下面を覆う保護層としての樹脂層を、樹脂層５２と樹脂層５４の２重構造としたものである。この場合、樹脂層５２をＰＥで、樹脂層５４をＰＥＴで構成している。このように金属層５１の保護層として、樹脂層５２をＰＥで、樹脂層５４をＰＥＴで構成することで、保護層の機能をさらに高めることができる。なお、樹脂層５２をＰＥＴで、樹脂層５４をＰＥで構成してもよい。
＜実施形態５＞
【００７６】
図９及び図１０は本発明に係る抗菌剤収容体の実施形態５を示すものである。これらの図において、実施形態１と同一の構成要素については同一の符号を付してその説明を簡略化する。
【００７７】
この実施形態５に係る抗菌剤収容体１では、外層５に、放出孔３の輪郭に沿って形成される破断用切込み５５を設け、シール７の剥離時に放出孔３が開口されるように（図１０参照）、破断用切込み５５の破断強度を設定したものである。
【００７８】
このように、外層５が複数の層からなるラミネートシートの場合、長期保管時において、放出孔３の口縁部分の切断面から複数の層間に抗菌性物質が侵入する場合があり、その場合には外層５の金属層５１に腐食が生じたり、外層５にしわが生じたりしやすくなるが、シール７の剥離時に放出孔３を開口させるようにしてあるので、層間に抗菌性物質が侵入するのを長期間抑制する効果が得られる。
【００７９】
＜実施形態６＞  図１１は本発明に係る抗菌剤収容体の実施形態６を示すものである。同図において、実施形態１と同一の構成要素については同一の符号を付してその説明を簡略化する。
この実施形態６に係る抗菌剤収容体１０は、抗菌剤４を収容した収容体２を、袋状の外側収容体９に収容し、その外側収容体９内の空気を引き抜いて真空にしたものである。これにより、収容体２の抗菌剤４に、大気中の二酸化炭素及び水が接触しないようにして、二酸化塩素の発生を抑制している。
本実施形態６における外側収容体９は、アルミニウムなどの金属からなる膜と樹脂フィルムを積層したシートにより形成されている。なお、その材料としては、気密性の高い材料であればよく、特に制限されない。また、その材料としては、遮光性の材料が好ましい。
また、本実施形態６においては、放出孔３を複数設けているため、真空引きの際に、外側収容体９内の空気を効率よく脱気することができる。特に、本実施形態６のように、脱気する方向（矢印Ａ方向）に沿って、複数の放出孔３を設けることで、外側収容体９内の空気を、効率よく引き抜くことができる。
真空引きは、既知の真空包装機を用いて行うことが可能である。本実施形態においては、外側収容体９を真空包装機のチャンバ内に収容し、チャンバ内部全体を脱気する方法により外側収容体９内の空気を脱気している。
本実施形態の抗菌剤収容体１０は、外側収容体９を開封する前は、抗菌剤４に大気中の二酸化炭素及び水が接触するのを防ぎ、外側収容体９を開封することで大気中の二酸化炭素及び水が抗菌剤４に接触し得る状態となるため、従来の抗菌剤収容体に比して、使用前の有効期間が延長されたものである。
【００８０】
＜実施形態７＞
図１２は本発明に係る抗菌剤収容体の実施形態７を示すものである。これらの図において、実施形態１と同一の構成要素については同一の符号を付してその説明を簡略化する。
この実施形態７に係る抗菌剤収容体１０は、抗菌剤４を収容した収容体２を、袋状の外側収容体９に収容したものである。この収容体２内の抗菌剤４は、ゼオライトからなる多孔質担体に亜塩素酸ナトリウムを保持させたものである。
外側収容体９内には窒素が充填され、気密に保持されている。これにより、収容体２内の抗菌剤４に、大気中の二酸化炭素及び水が接触しないようにして、二酸化塩素の発生を抑制している。また、窒素を充填することにより、外側収容体９内を真空引きする方法に比べて、収容体２を構成するシートにシワが発生するのを防ぐことができる。なお、本実施形態においては、放出孔３を覆うシール７を設けなくともよい。
外側収容体９内の脱気及び窒素ガスの充填は、既知の真空包装機を用いて行うことが可能である。本実施形態においては、外側収容体９を真空包装機のチャンバ内に収容し、チャンバ内部全体を脱気する方法により外側収容体９内の空気を脱気した後に、ノズルにより、窒素を外側収容体９内に充填している。
なお、窒素等の不活性ガスを外側収容体９内に吹き入れることにより、該外側収容体９内の空気を窒素で置換することにより、外側収容体９内に不活性ガスを充填させることもできる。
【００８１】
なお、前記実施形態において示した各構成部材の諸形状や寸法、あるいは、構成については一例であって、設計要求等に基づき種々変更可能である。
【符号の説明】
【００８２】
１、１０  抗菌剤収容体
２  収容体
３  放出孔
４  抗菌剤
５  外層
５１  金属層
５２  樹脂層（保護層）
５３  樹脂層
５４  樹脂層（保護層）
６  内層
７  シール
９  外側収容体
【図１】
2014217735.tif 000003
【図２】
2014217735.tif 000004
【図３】
2014217735.tif 000005
【図４】
2014217735.tif 000006
【図５】
2014217735.tif 000007
【図６】
2014217735.tif 000008
【図７】
2014217735.tif 000009
【図８】
2014217735.tif 000010
【図９】
2014217735.tif 000011
【図１０】
2014217735.tif 000012
【図１１】
2014217735.tif 000013
【図１２】
2014217735.tif 000014